(57)【要約】【課題】手や足を伸ばしてリラックスして横たわることができるハンモックを提供する。【解決手段】本発明のハンモック１は、使用者が横たわる吊り下げ式のハンモック本体２が、使用者の胴体を載置するための胴部１２と、使用者の右腕を載置するための右腕部１１Ｒと、左腕を載置するための左腕部１１Ｌと、右脚を載置するための右脚部１３Ｒと、左脚を載置するための左脚部１３Ｌとを有するものである。本発明のハンモック１は、ハンモック本体２とは別体で、使用者の頭を載せるための吊り下げ式の頭部用ハンモック３を有して構成されていてもよい。【選択図】図１
2020092987.tif 000002
【特許請求の範囲】
【請求項１】
使用者が横たわる吊り下げ式のハンモック本体が、使用者の胴体を載置するための胴部を備えると共に、使用者の右腕、左腕、右脚及び左脚を各々単独で載置するための４つの肢部の内の少なくとも１つを備えることを特徴とするハンモック。
【請求項２】
前記肢部が、前記胴部に繋げられて設けられていることを特徴とする請求項１に記載のハンモック。
【請求項３】
前記肢部が、前記胴部に弾性体で繋げられていることを特徴とする請求項２に記載のハンモック。
【請求項４】
前記肢部が、前記胴部と別体で形成され、単体で吊り下げ可能に構成されていることを特徴とする請求項１に記載のハンモック。
【請求項５】
前記ハンモック本体が、前記４つの肢部として、使用者の右腕を載置するための右腕部と、左腕を載置するための左腕部と、右脚を載置するための右脚部と、左脚を載置するための左脚部とを有することを特徴とする請求項１から４のいずれかに記載のハンモック。
【請求項６】
前記ハンモック本体とは別体で、使用者の頭を載置するための吊り下げ式の頭部用ハンモックを有することを特徴とする請求項１から５のいずれかに記載のハンモック。
【請求項７】
マッサージ用のベッドとして使用されるものであることを特徴とする請求項１から６のいずれかに記載のハンモック。
【発明の詳細な説明】
【技術分野】
【０００１】
本発明は、人が横たわるための吊り下げ式のハンモック（吊り床）に関するものである。
【背景技術】
【０００２】
ハンモックは、一般的に略長方形状のハンモック本体を、紐などで吊り下げるように構成されている（例えば、特許文献１）。使用者は、ハンモック本体上に横たわり、眠ったり、くつろいだりする。ハンモック本体は、網や布で構成されているため、使用者の重さで中央部分が窪んで垂れ下がり、使用者を包み込む。
【先行技術文献】
【特許文献】
【０００３】
【特許文献１】実用新案登録第３２０７８８１号公報
【発明の概要】
【発明が解決しようとする課題】
【０００４】
ハンモック本体が使用者を包み込むことには良い面もあるが、反面、使用者は手や足を動かし難く窮屈であるという課題がある。
【０００５】
本発明は、前記の課題を解決するためになされたもので、手や足を伸ばしてリラックスして横たわることができるハンモックを提供することを目的とする。
【課題を解決するための手段】
【０００６】
前記の目的を達成するためになされた、特許請求の範囲の請求項１に記載されたハンモックは、使用者が横たわる吊り下げ式のハンモック本体が、使用者の胴体を載置するための胴部を備えると共に、使用者の右腕、左腕、右脚及び左脚を各々単独で載置するための４つの肢部の内の少なくとも１つを備えることを特徴とする。
【０００７】
請求項２に記載されたハンモックは、請求項１に記載のもので、前記肢部が、前記胴部に繋げられて設けられていることを特徴とする。
【０００８】
請求項３に記載されたハンモックは、請求項２に記載のもので、前記肢部が、前記胴部に弾性体で繋げられていることを特徴とする。
【０００９】
請求項４に記載されたハンモックは、請求項１に記載のもので、前記肢部が、前記胴部と別体で形成され、単体で吊り下げ可能に構成されていることを特徴とする。
【００１０】
請求項５に記載されたハンモックは、請求項１から４のいずれかに記載のもので、前記ハンモック本体が、前記４つの肢部として、使用者の右腕を載置するための右腕部と、左腕を載置するための左腕部と、右脚を載置するための右脚部と、左脚を載置するための左脚部とを有することを特徴とする。
【００１１】
請求項６に記載されたハンモックは、請求項１から５のいずれかに記載のもので、前記ハンモック本体とは別体で、使用者の頭を載置するための吊り下げ式の頭部用ハンモックを有することを特徴とする。
【００１２】
請求項７に記載されたハンモックは、請求項１から６のいずれかに記載のもので、マッサージ用のベッドとして使用されるものであることを特徴とする。
【発明の効果】
【００１３】
本発明のハンモックによれば、ハンモック本体が胴部とは別に腕や脚を載せる４つの肢部の内少なくとも１つを有するため、使用者は肢部に載せた手や脚を伸ばすことができる。そのため、使用者はリラックスしてハンモック上に横たわることができる。
【００１４】
肢部が胴部に繋げられて設けられている場合、肢部が胴部に対して位置が固定されるため、使用者は肢部に腕や脚を載せ易い。また、肢部が胴部から分離している場合よりも、ハンモックの設置を容易に行うことができる。
【００１５】
肢部が胴部に弾性体で繋げられている場合、胴部に対して肢部を動かすことができるため、使用者は手や脚を容易に動かすことができる。
【００１６】
肢部が胴部と別体で形成され単体で吊り下げ可能に構成されている場合、胴部に対して肢部を容易に動かすことができるため、使用者は手や脚を容易に動かすことができる。また、肢部の吊り下げ方を変えることで、胴部に対する肢部の位置や高さを簡便に変更することができる。
【００１７】
ハンモック本体が４つの肢部として使用者の右腕を載置するための右腕部と、左腕を載置するための左腕部と、右脚を載置するための右脚部と、左脚を載置するための左脚部とを有する場合、使用者は四肢全てを伸ばして横たわることができるため、快適であり一層リラックスすることができる。
【００１８】
ハンモック本体とは別体で使用者の頭を載せるための吊り下げ式の頭部用ハンモックを有する場合、頭の位置の自由度が増すため、使用者はよりリラックスすることができる。また、頭部用ハンモックの高さをハンモック本体に対して任意の高さに設定することができる。
【００１９】
本発明のハンモックをマッサージ用のベッドとして使用する場合、腕や脚を伸ばしてハンモック上にリラックスして横たわっている被施術者に対し、施術者は腕（手）や脚（足）、胴体など任意の部位をマッサージすることができ、マッサージ効果を高めることができる。また、施術者は被施術者の頭、手や足を引っ張る施術することも簡便に行うことができる。
【図面の簡単な説明】
【００２０】
【図１】本発明を適用するハンモックの展開図である。
【図２】本発明を適用するハンモックの使用状態を示す模式的な概略図である。
【図３】本発明を適用する別のハンモックの展開図である。
【図４】本発明を適用するさらに別のハンモックの展開図である。
【図５】本発明を適用するさらに別のハンモックの外形を示す概略図である。
【図６】本発明を適用するさらに別のハンモックの外形を示す概略図である。
【発明を実施するための形態】
【００２１】
以下、本発明を実施するための形態を詳細に説明するが、本発明の範囲はこれらの形態に限定されるものではない。
【００２２】
図１に、本発明を適用するハンモック１の展開図を示す。ハンモック１は、使用者が横たわる吊り下げ式のハンモック本体２と、使用者の頭を載せるための吊り下げ式の頭部用ハンモック３とを有している。同図には、ハンモック本体２と、頭部用ハンモック３とが別体で形成されている例を示している。
【００２３】
ハンモック本体２は、使用者の胴体を載置するための胴部１２を有すると共に、使用者の右腕、左腕、右脚及び左脚を各々単独（単体）で載置するための４つの肢部の内の少なくとも１つを有するものである。肢部は、四肢（右腕、左腕、右脚及び左脚）のうち１つを単独（単体）で載置するためのものである。この例では、ハンモック本体２は、４つの肢部を全て有している。具体的には、ハンモック本体２は、４つの肢部として、使用者の右腕を単独で載置するための右腕部１１Ｒと、左腕を単独で載置するための左腕部１１Ｌと、右脚を単独で載置するための右脚部１３Ｒと、左脚を単独で載置するための左脚部１３Ｌとを有している。この例では、各々の肢部（右腕部１１Ｒ、左腕部１１Ｌ、右脚部１３Ｒ、左脚部１３Ｌ）が、胴部１２に繋げられて設けられている。
【００２４】
なお、右腕部１１Ｒ、左腕部１１Ｌ、右脚部１３Ｒ及び左脚部１３Ｌ（右腕、左腕、右脚及び左脚）は、使用者が仰向けでハンモック１に横たわって使用する場合（図２参照）を想定して名付けているが、使用者はうつ伏せでハンモック１上に横たわってもよい。
【００２５】
同図に示すように、ハンモック本体２の形状は、人の形状に対応するように胴部１２、右腕部１１Ｒ、左腕部１１Ｌ、右脚部１３Ｒ及び左脚部１３Ｌを有する人型（ひとがた）の形状に形成されている。具体的には、外形が略長方形状の胴部１２の一方の短辺側に、胴部１２を間に挟んで右腕部１１Ｒ、左腕部１１Ｌが設けられ、胴部１２の他の短辺に右脚部１３Ｒ、左脚部１３Ｌが設けられて、人型に形成されている。右腕部１１Ｒ及び左腕部１１Ｌは、腕を載置可能に外形が細長い略長方形状に形成されている。右脚部１３Ｒ及び左脚部１３Ｌは、脚を載置可能に外形が細長い略長方形状に形成されている。右腕部１１Ｒ、左腕部１１Ｌ、右脚部１３Ｒ、左脚部１３Ｌの形状は任意であり、例えば曲がった形状に形成されていてもよい。
【００２６】
胴部１２に対する右腕部１１Ｒ、左腕部１１Ｌの取付角度（胴体に対して腕を開く角度）は任意である。また、右脚部１３Ｒ、左脚部１３Ｌ同士の角度（足を開く角度）は任意である。右腕部１１Ｒ、左腕部１１Ｌ、右脚部１３Ｒ、左脚部１３Ｌは、使用者が大の字に手足（四肢）を伸ばせる形状に胴部１２に設けられていることが好ましい。用途によって、使用者が腕を頭上に伸ばすような位置に右腕部１１Ｒ、左腕部１１Ｌを設けてもよいし、腕を胴部１２に多少近づけるような位置に右腕部１１Ｒ、左腕部１１Ｌを設けてもよい。右腕部１１Ｒ、左腕部１１Ｌが対称形でなくてもよい。右脚部１３Ｒ、左脚部１３Ｌが対称形でなくてもよい。
【００２７】
ハンモック本体２は、同図に示すように網で形成されていてもよいし、布やシートで形成されていてもよい。ハンモック本体２が網で形成されていると、使用者の体形や動きに合わせて形状を変形し易く、かつ、通気性がよいため、好ましい。
【００２８】
ハンモック本体２の外周部には、ハンモック本体２を吊り下げるための複数の吊り紐３１が取り付けられている。吊り紐３１の数や取付位置は任意である。吊り下げたときにハンモック本体２が人型を保つように吊り紐３１を設けることが好ましい。ハンモック本体２とは逆側の吊り紐３１の端部には、吊り紐３１を吊り易くするための吊り具３５が設けられていることが好ましい。吊り具３５は、一例として円形の金具又は紐である。
【００２９】
また、同図に示すように、２本の吊り紐３１の途中同士を架け渡すように架け渡し紐３３を取り付けて、この架け渡し紐３３から複数の補助吊り紐３２をハンモック本体２の外周部に取り付けて、ハンモック本体２を吊り下げるようにしてもよい。このように補助吊り紐３２を用いると、ハンモック本体２を全て吊り紐３１で吊り下げる場合よりも紐の全長を短くすることができる。また、ハンモック本体２を吊り下げる補助吊り紐３２の数を多くできるため、ハンモック本体２の形状を人型に維持し易くなる。また、補助吊り紐３２の数を多くすると、補助吊り紐３２によって使用者が包まれ感を得ることもできる。
【００３０】
頭部用ハンモック３の形状は、使用者の頭が載せられる形状であれば任意であるが、一例として、枕のように胴部１２より小型の略長方形状に形成されている。
【００３１】
頭部用ハンモック３は、同図に示すように網で形成されていてもよいし、布やシートで形成されていてもよい。頭部用ハンモック３が網で形成されていると、使用者の頭の形状に合わせて変形し易く、かつ、通気性がよいため、好ましい。
【００３２】
頭部用ハンモック３の両側部側（使用者の頭の両側部側）には、頭部用ハンモック３を吊り下げるための複数の吊り紐３１が取り付けられている。吊り紐３１の数や取付位置は任意である。頭部用ハンモック３とは逆側の吊り紐３１の端部には、前述したように吊り具３５が設けられていることが好ましい。また、２本の吊り紐３１の途中に、架け渡し紐３３が取り付けられ、架け渡し紐３３から複数の補助吊り紐３２が頭部用ハンモック３の側部に取り付けられていてもよい。
【００３３】
図２に、ハンモック１の使用状態の概略図を示す。なお、同図は使用状態のイメージを模式的に示すものであり、吊り紐３１等を一部省略して図示している。
【００３４】
ハンモック１は、ハンモック本体２及び頭部用ハンモック３が人型になるように、吊り具３５を高所の適当な位置に固定することで、吊り下げられて使用される。頭部用ハンモック３は、ハンモック本体２と同じ高さか多少高い位置になるように、吊り下げられて使用される。
【００３５】
使用者１０１は、ハンモック本体２上に胴体を載せて横たわり、頭を頭部用ハンモック３上に載せる。ハンモック本体２の形状は人型であるので、使用者１０１は、ハンモック本体２の形状に沿うように、胴部１２上に胴体を載せ、右腕部１１Ｒ上に右腕を載せ、左腕部１１Ｌ上に左腕を載せ、右脚部１３Ｒ上に右脚を載せ、左脚部１３Ｌ上に左脚を載せる（図１参照）。この例では、ハンモック本体２が大の字に形成されているため、使用者１０１はハンモック１上に手足を伸ばして、大の字に横たわることができる。このため、窮屈さは全く無く、手足を伸ばせてリラックスでき、快適である。ハンモック１は吊り下げられているため、従来のハンモックのようにゆらゆらと動き、ハンモック独特の心地良さもある。
【００３６】
同図に示すように使用者１０１の手先や足先がハンモック本体２よりも外側に出るように、ハンモック本体２の大きさを形成してもよいし、手先や足先がハンモック本体２上に位置するようにハンモック本体２の大きさを形成してもよい。
【００３７】
このハンモック１（及び後述するハンモック１ａ〜１ｄ）を、マッサージを行うためのマッサージ用のベッド（マッサージ台）に使用してもよい。使用者１０１は、ハンモック１上に横たわり、リラックスした状態で腕や脚、首などのマッサージを受けることができる。ハンモック１の高さ調整も容易である。マッサージ施術者がマッサージを施し易い高さにハンモック１を設定して、手揉み、脚揉み、首揉みなどのマッサージを行う。使用者１０１の頭、手や足を引っ張るマッサージも容易に行うことができる。ハンモック本体２が網で形成されている場合、ハンモック本体２が容易に変形するため、使用者１０１の体位を変化させ易く、マッサージを容易に行うことができて好ましい。また、ハンモック本体２や頭部用ハンモック３が網で形成されている場合、マッサージ施術者は使用者１０１が寝たままの状態で、網の隙間からハンモック１側（背中側）の部位に直接触れてマッサージすることができるため、マッサージ効果を高めることができ好ましい。
【００３８】
なお、ハンモック本体２と頭部用ハンモック３が別体であるハンモック１について説明したが、ハンモック本体２と頭部用ハンモック３とが一体的に繋がっていてもよい。つまり、胴部１２が頭部用ハンモック３を兼用するように、胴部１２が使用者１０１の頭部を載置可能な形状に形成されていてもよい。
【００３９】
図３に、本発明を適用する別のハンモック１ａを示す。このハンモック１ａは、ハンモック本体２ａ及び頭部用ハンモック３を有している。なお、以下では、既に説明した構成と同様の構成については同様の符号を付して詳細な説明を省略する。
【００４０】
ハンモック本体２ａは、使用者の胴体を載置するための胴部１２ａに、肢部である右腕部１１Ｒ、左腕部１１Ｌ、右脚部１３Ｒａ及び左脚部１３Ｌａが各々、弾性体１５で繋げられて構成されている。弾性体１５は、例えばゴム紐、ゴムベルト、ばね等である。このように弾性体１５で繋げると、胴部１２ａに対して、右腕部１１Ｒ、左腕部１１Ｌ、右脚部１３Ｒａ及び左脚部１３Ｌａを動かし易く、向き（角度）などを変え易い。このため、使用者は手足を動かし易く、よりリラックスすることができる。また、ハンモック１ａをマッサージ用のベッドとして使用する場合、手足を動かし易いため、施術者はマッサージし易く、施術効果をより高めることができる。なお、右腕部１１Ｒ、左腕部１１Ｌ、右脚部１３Ｒａ及び左脚部１３Ｌａの全てではなく、任意の部位だけを弾性体１５で胴部１２ａに連結してもよい。
【００４１】
また、同図には、胴部１２ａが、複数の胴部構成部材１１２1、１１２２、１１２３を弾性体１５、１５で１つに連結して構成されている例を示している。このように胴部構成部材１１２1、１１２２、１１２３を弾性体１５で繋げると、胴部１２ａがより変形し易くなるため、使用者は身体をより動かし易くなる。このため、使用者は、よりリラックスすることができる。また、マッサージを容易に行うことができる。
【００４２】
また、同図には、右脚部１３Ｒａが、複数の右脚部構成部材１１３Ｒ1、１１３Ｒ２を弾性体１５で１つに連結して構成されている例を示している。このように右脚部構成部材１１３Ｒ1、１１３Ｒ２を弾性体１５で繋げると、右脚部１３Ｒａがより変形し易くなるため、使用者は右脚をより動かし易くなる。このため、使用者はよりリラックスすることができる。同様に、左脚部１３Ｌａが、複数の左脚部構成部材１１３Ｌ1、１１３Ｌ２を弾性体１５で１つに連結して構成することで、使用者は左脚をより動かし易くなり、よりリラックスすることができる。図示しないが、右腕部１１Ｒが、複数の右腕部構成部材を弾性体１５で連結して構成されていてもよいし、左腕部１１Ｌが、複数の左腕部構成部材を弾性体１５で連結して構成されていてもよい。
【００４３】
なお、ハンモック１ａの弾性部材１５を、糸や紐などの非弾性部材に代えてもよい。この場合、ハンモック１ａの形状が変形し難くなって、形状をしっかりと保持できるため、用途によっては各部を非弾性部材で繋いでもよい。
【００４４】
また、同図には、胴部１２ａに、穴部１７が設けられている例を示している。ハンモック１ａをマッサージ用のベッドとして使用する場合、施術する任意の箇所に穴部１７を設けることで、施術者はよりマッサージし易くなり、マッサージ効果をより高めることができる。
【００４５】
図４に、本発明を適用する別のハンモック１ｂを示す。このハンモック１ｂは、ハンモック本体２ｂ及び頭部用ハンモック３を有している。
【００４６】
ハンモック本体２ｂは、肢部である右腕部１１Ｒ、左腕部１１Ｌ、右脚部１３Ｒ及び左脚部１３Ｌが胴部１２ｂと別体に形成されている。ハンモック本体２ｂは、胴部１２ｂ、右腕部１１Ｒ、左腕部１１Ｌ、右脚部１３Ｒ及び左脚部１３Ｌが、各々単体で吊り下げ可能に構成されている。
【００４７】
このように各部が分離していることで、胴部１２ｂに対して右腕部１１Ｒ、左腕部１１Ｌ、右脚部１３Ｒ及び左脚部１３Ｌをより動かし易くすることができる。このため、使用者は自在に手足を伸ばして横たわることができ、よりリラックスすることができる。また、右腕部１１Ｒ、左腕部１１Ｌ、右脚部１３Ｒ及び左脚部１３Ｌの吊る位置や向きなどを適宜設定することで、胴部１２ｂに対する角度や位置、高さを容易に調整することができる。また、マッサージ用のベッドとする場合、腕や脚を動かしたり伸ばしたりする施術がより施し易くなるため、マッサージ効果をより高めることができる。
【００４８】
図１〜図４に示したハンモック１〜１ｂでは、４つの肢部（右腕部１１Ｒ、左腕部１１Ｌ、右脚部１３Ｒ及び左脚部１３Ｌ）を全て備える例を示したが、本発明のハンモックは、右腕部１１Ｒ、左腕部１１Ｌ、右脚部１３Ｒ及び左脚部１３Ｌの少なくとも１つを備えていればよい。右腕部１１Ｒ、左腕部１１Ｌ、右脚部１３Ｒ及び左脚部１３Ｌのうち備えない部位に対応する使用者の部位については、胴部１２上に載置するようにしてもよいし、胴部１２外に垂れ下がるようにしてもよい。
【００４９】
例えば、図５に、本発明を適用する別のハンモック１ｃを示す。このハンモック１ｃは、ハンモック本体２ｃとして、胴部１２ｃと、肢部である右腕部１１Ｒ及び左腕部１１Ｌとを有するものである。なお、同図には、胴部１２ｃ、右腕部１１Ｒ及び左腕部１１Ｌの外形のみを図示し、ハンモック本体２ｃの網や、吊り紐３１、補助吊り紐３２、架け渡し紐３３の図示を省略して示している。また、使用者１０１を二点鎖線で示している。
【００５０】
同図に示すように、ハンモック１ｃは、頭部用ハンモック３、右脚部１３Ｒ及び左脚部１３Ｌは備えずに、胴部１２ｃに使用者１０１の頭部、胴部、右脚及び左脚を載置するよう構成されている。ハンモック１ｃは右腕部１１Ｒ及び左腕部１１Ｌを有するため、使用者１０１は、右腕部１１Ｒ及び左腕部１１Ｌ上に右腕及び左腕を伸ばして横たわることができ、リラックスすることができる。なお、必要性に応じて、右腕部１１Ｒ及び左腕部１１Ｌの一方だけを備えるようにしてもよい。
【００５１】
図６に、本発明を適用する別のハンモック１ｄを示す。このハンモック１ｄは、ハンモック本体２ｄとして、胴部１２ｄと、肢部である右脚部１３Ｒ及び左脚部１３Ｌとを有するものである。同図では、図５と同様に、ハンモック本体２ｄ（胴部１２ｄ、右脚部１３Ｒ及び左脚部１３Ｌ）の外形のみを図示し、他を省略して示している。
【００５２】
ハンモック１ｄは、頭部用ハンモック３、右腕部１１Ｒ及び左腕部１１Ｌは備えずに、胴部１２ｄに使用者１０１の頭部を載置するように構成されている。同図は、使用者の右腕及び左腕が胴部１２ｄよりも外側に飛び出すような幅の胴部１２ｄの例を示している。胴部１２ｄの幅は任意に形成することができる。例えば、胴部１２ｄの幅は、右腕及び左腕を載置可能な幅で形成してもよい。
【００５３】
このハンモック１ｄでは、右脚部１３Ｒ及び左脚部１３Ｌを有するため、使用者１０１は脚を開いて伸ばして横たわることができるため、リラックスすることができる。なお、必要性に応じて、右脚部１３Ｒ及び左脚部１３Ｌの一方だけを備えるようにしてもよい。
【００５４】
ハンモック１ｃ、１ｄのように胴部１２ｃ、１２ｄに使用者１０１の頭を載せる場合、ハンモックの構成部材が少なくなるため、ハンモックの製造が簡便になると共に、ハンモックの設置作業が簡便になる。
【符号の説明】
【００５５】
１・１ａ・１ｂ・１ｃ・１ｄはハンモック、２・２ａ・２ｂ・２ｃ・２ｄはハンモック本体、３は頭部用ハンモック、１１Ｌは左腕部、１１Ｒは右腕部、１２・１２ａ・１２ｂ・１２ｃ・１２ｄは胴部、１３Ｌ・１３Ｌａは左脚部、１３Ｒ・１３Ｒａは右脚部、１５は弾性体、１７は穴部、３１は吊り紐、３２は補助吊り紐、３３は架け渡し紐、３５は吊り具、１０１は使用者、１１２1・１１２２・１１２３は胴部構成部材、１１３Ｌ1・１１３Ｌ２は左脚部構成部材、１１３Ｒ1・１１３Ｒ２は右脚部構成部材である。
【図１】
2020092987.tif 000003
【図２】
2020092987.tif 000004
【図３】
2020092987.tif 000005
【図４】
2020092987.tif 000006
【図５】
2020092987.tif 000007
【図６】
2020092987.tif 000008